(57)【要約】      （修正有）【課題】住宅の収納室内での収納物の移動などを、簡素な構造をもって容易に行えるようにする。【解決手段】住宅に備えられる天井高が低く、且つ奥行きの広い収納室１の床構造である。天井高を１１００ｍｍ〜１４００ｍｍの範囲として、且つ収納物３の出し入れ口１１からの奥行きを１２００ｍｍ以上とする住宅に備えられる収納室１の床１０の全部又は一部を、収納物３を滑らして、この収納物３の移動を容易とする表面仕上げ材によって表面仕上げさせてなる。【選択図】図１
2009281021.tif 000002
【特許請求の範囲】
【請求項１】
天井高を1100ｍｍ〜1400ｍｍの範囲として且つ収納物の出し入れ口からの奥行きを1200ｍｍ以上とする収納室の床の全部又は一部を、収納物を滑らしてのこの収納物の移動を容易とする表面仕上げ材によって表面仕上げさせてなることを特徴とする住宅における収納室の床構造。
【請求項２】
少なくとも、収納物の収納箇所の床とこの収納物の搬出入経路となる箇所の床とを、収納物を滑らしてのこの収納物の移動を容易とする表面仕上げ材によって覆わせてなることを特徴とする請求項１に記載の住宅における収納室の床構造。
【請求項３】
表面仕上げ材が、表面を平滑に構成された摩擦係数の低い板材であることを特徴とする請求項１又は請求項２に記載の住宅における収納室の床構造。
【請求項４】
表面仕上げ材が、複数の転動体をこれらの上端上で収納物を支えるように備えていることを特徴とする請求項１又は請求項２に記載の住宅における収納室の床構造。
【請求項５】
壁面と床面との境界部に段差を形成させていることを特徴とする請求項１〜請求項４のいずれか１項に記載の住宅における収納室の床構造。
【請求項６】
隣り合う表面仕上げ材間に、収納物の固定部材を挿入保持させる保持凹部を形成させてなることを特徴とする請求項１〜請求項５のいずれか１項に記載の住宅における収納室の床構造。
【発明の詳細な説明】
【技術分野】
【０００１】
この発明は、住宅に備えられる天井高が低く、且つ奥行きの広い収納室の床構造に関する。
【背景技術】
【０００２】
住宅においては、人が立てない天井高で、かつ押し入れより奥行きのある収納室が求められるケースが増えてきている。こうした収納室の床面積は、行政上の扱いにおいて、延べ床面積に算入しなくても良い場合があり、これもこうしたケース増加の一因となっている。
【０００３】
しかるに、このような収納室においては、大人は立ち上がっての作業ができないため、収納物を持ち上げて移動させることができない反面、かかる収納室は押し入れなどと異なり十分な奥行きがあるため、収納室内に入り込んでの収納物の移動を必要とさせるところである。
【発明の開示】
【発明が解決しようとする課題】
【０００４】
この発明が解決しようとする主たる問題点は、この種の住宅の収納室内での収納物の移動などを、簡素な構造をもって容易に行えるようにする点にある。
【課題を解決するための手段】
【０００５】
前記課題を達成するために、この発明にあっては、住宅における収納室の床構造を、天井高を1100ｍｍ〜1400ｍｍの範囲として且つ収納物の出し入れ口からの奥行きを1200ｍｍ以上とする収納室の床の全部又は一部を、収納物を滑らしてのこの収納物の移動を容易とする表面仕上げ材によって表面仕上げさせてなるものとした。
【０００６】
このように構成される収納室にあっては、大人は立ち上がっての作業ができないため、収納物を持ち上げて移動させることができない反面、かかる収納室は押し入れなどと異なり十分な奥行きがあるため、収納室内に入り込んでの収納物の移動を必要とさせることから、前記の表面仕上げによって収納室内での収納物の移動が楽になり、もって収納物の搬出入が容易となる。
【発明の効果】
【０００７】
この発明によれば、前記のような収納室からの収納物の搬出、この収納室への収納物の搬入およびこの収納室内での収納物の移動の容易化を、費用対効果のバランスのとれた簡素な施工によって実現させることができる。
【発明を実施するための最良の形態】
【０００８】
以下、図１〜図５に基づいて、この発明を実施するための最良の形態について説明する。
【０００９】
なお、ここで図１はこの発明にかかる床構造を備えさせるべき収納室１を備えた住宅の構成を模式的に表している。図２はかかる床構造の典型的な第一構成例を斜視の状態（（ａ）図）と断面の状態（（ｂ）図）とにして、図３はかかる床構造の典型的な第二構成例を斜視の状態（（ａ）図）と断面の状態（（ｂ）図）とにして、図４はかかる床構造の典型的な第三構成例を断面の状態にして、図５はかかる床構造の典型的な第四構成例を斜視の状態（（ａ）図）と断面の状態（（ｂ）図および（ｃ）図）とにして、それぞれ示している。
【００１０】
この実施の形態にかかる床構造は、住宅に備えられる天井高が低く、且つ奥行きの広い収納室１に適用されて、このような収納室１からの収納物３の搬出、このような収納室１への収納物３の搬入およびこのような収納室１内での収納物３の移動を、簡素な構造をもって容易ならしめるものである。
【００１１】
かかる収納室１としては、典型的には、二階建ての住宅の一階Ｆと二階Ｓとの間に設けられる、いわゆる階間収納と称されるものや、小屋裏収納、床下収納など、人が立てない天井高である点でウォークインクローゼットと区別され、また、奥行きが広い点で押し入れと区別されるものが予定される。
【００１２】
図１は、前記階間収納となる収納室１を住宅に備えさせた例を示している。この収納室１は二階Ｓの部屋Ｓａの下で、且つ和室などの天井高を大きく確保しなくても支障の少ない一階Ｆの部屋Ｆａの上に設けられ、その床１０（収納床）は階段踊り場２と同じレベルとなるように構成されている。この例では、収納物３の出し入れ口１１、すなわち、収納室１の入り口は階段踊り場２側に設けられており、収納物３の搬出入作業にこの階段踊り場２を利用できるようになっている。
【００１３】
この実施の形態にかかる床構造は、この階間収納となる収納室１のように、天井高を1100ｍｍ〜1400ｍｍの範囲として且つ収納物３の出し入れ口１１からの奥行きを1200ｍｍ以上とする収納室１の床１０の全部又は一部を、収納物３を滑らしてのこの収納物３の移動を容易とする表面仕上げ材１２によって表面仕上げさせてなるものである。このように構成される収納室１にあっては、大人は立ち上がっての作業ができないため、収納物３を持ち上げて移動させることができない反面、かかる収納室１は押し入れなどと異なり十分な奥行きがあるため、収納室１内に入り込んでの収納物３の移動を必要とさせることから、前記の表面仕上げによって収納室１内での収納物３の移動が楽になり、もって収納物３の搬出入が容易となる。
【００１４】
具体的には、前記表面仕上げを、表面を平滑に構成された摩擦係数の低い板材を表面仕上げ材１２としてなすことで、簡素で効果的でかつ低廉に、前記収納室１内での収納物３の移動を楽なものにすることができる。（図２）かかる板材としては、収納物３の滑りやすさ、床材として見た目や耐久性などを考慮すると、金属板、フッ素樹脂製の板、ポリエチレン樹脂製の板を用いることが好適である。
【００１５】
また、前記表面仕上げを、複数の転動体１２ａ、１２ａ…をこれらの上端上で収納物３を支えるように備えている表面仕上げ材１２によってなすことによっても、前記収納室１内での収納物３の移動を楽なものにすることができる。（図３）図示の例では、かかる表面仕上げ材１２として、凹球面状をなす軸受け部１２ｂを複数備えると共にこれらの軸受け部１２ｂの開放箇所を表面側に配させた板材であって、各軸受け部１２ｂにそれぞれ球状をなす転動体１２ａをその上端が開放箇所から突き出すように組み込ませたものを用いている。こうした表面仕上げ材１２としては、例えば、複数のロール状をなす転動体を枠状体の枠内に各転動体の回転軸が平行となるように並列状に備えさせてなるものなどを用いることもできる。
【００１６】
かかる収納室１の床１０の表面仕上げはこの床１０の一部に対してなされても良いが、少なくとも、収納物３の収納箇所の床１０とこの収納物３の搬出入経路となる箇所の床１０とに対してなすようにしておけば、収納室１内での収納物３を滑らしての移動は容易となる。図１の例であれば、収納室１の床１０のうち、収納室１の出し入れ口１１からこの出し入れ口１１の幅と略同じ幅をもって収納室１の奥に向けて帯状に続く範囲に対して、少なくとも表面仕上げをなすようにする。
【００１７】
図４は、かかる収納室１を構成する壁面７と床面１０ａとの境界部に段差１３を形成させた例を示している。図示の例では、かかる境界部に沿って、下面１３ｂを表面仕上げ材１２に添装させ、かつ、背面となる端面１３ｃを壁面に添装させるように見切り材１３ａを備えさせることで、この見切り材１３ａの前面となる端面１３ｄによって前記段差１３を形成させている。このようにした場合、かかる段差１３に突き当たった位置で収納物３を納めさせることができ壁面７と収納物３との間に通気を確保させることができると共に、図４（ｂ）に示されるように、この段差１３を利用して収納物３を後傾操作させた状態から、この後傾により生じた収納物３の底面下の隙間８にマット４などを入れ込み、この後にこの操作を止めて入れ込まれたマット４など上に載置される収納物３を、このマット４などを引っ張ることでこのマット４などを介して収納室１内で滑らし移動させることができる。このようにした場合、箪笥などの底面が平滑でなく重量がある収納物３の移動を、スムースに行うことが可能とされる。
【００１８】
図５は、隣り合う表面仕上げ材１２間に、収納物３の固定部材５を挿入保持させる保持凹部１４を形成させた例を示している。この例では、それぞれ方形の板状をなす表面仕上げ材１２を、各材１２の辺間に溝状の保持凹部１４を形成させるようにして、収納室１の床に貼り込ませている。この例では、この保持凹部１４にはめ込まれて表面仕上げ材１２の表面上に突き出す固定部材５を利用して、収納物３の下部の側部を押さえてこの収納物３の移動を規制するようにしている。（図５（ｃ））図中符号６で示されるのは、かかる固定部材５と協働して収納物３の移動を規制する補助固定部材である。このようにした場合、収納物３の滑らしての移動を確保しながら、収納完了位置においてはかかる収納物３を安定的に位置づけさせることができる。
【図面の簡単な説明】
【００１９】
【図１】住宅の構成図
【図２】床構造の斜視構成図（（ａ）図）および要部断面構成図（（ｂ）図）
【図３】床構造の斜視構成図（（ａ）図）および要部断面構成図（（ｂ）図）
【図４】床構造の要部断面構成図
【図５】床構造の斜視構成図（（ａ）図）および要部断面構成図（（ｂ）図、（ｃ）図）
【符号の説明】
【００２０】
１  収納室
１０  床
１１  出し入れ口
１２  表面仕上げ材
３  収納物
【図１】
2009281021.tif 000003
【図２】
2009281021.tif 000004
【図３】
2009281021.tif 000005
【図４】
2009281021.tif 000006
【図５】
2009281021.tif 000007